(57)【特許請求の範囲】
【請求項１】
カードを受容するハウジングと、該ハウジングを包囲して配置される導電性フレーム部材と、該フレーム部材に対して摺動可能とされる操作部材及び該操作部材に係合するばね構造を含むカード排出手段とを有し、該カード排出手段は前記操作部材を押圧摺動することにより前記ハウジングに受容された前記カードを排出でき、前記カードを排出後に前記ばね構造が前記操作部材を押圧摺動前の位置へ押し戻すよう構成されるカード用コネクタ組立体において、
前記フレーム部材は、前記ハウジングに収容されたコンタクトのタイン部分を包囲し、
前記ばね構造は、前記フレーム部材の後端近傍に前記フレーム部材の後壁の一部として一体的に形成されることを特徴とするカード用コネクタ組立体。
【請求項２】
導電性フレーム部材に対して摺動可能に配置される操作部材及び該操作部材に係合するばね構造を含むカード排出手段を有し、該カード排出手段は前記操作部材を押圧摺動することにより前記フレーム部材の内側に受容されるカードを排出でき、前記カードを排出後に前記ばね構造が前記操作部材を押圧摺動前の位置へ押し戻すよう構成されるカード用コネクタ組立体に使用されるイジェクタ組立体において、
前記フレーム部材は、前記カード用コネクタ組立体のハウジングに収容されたコンタクトのタイン部分を包囲するよう構成され、
前記ばね構造は、前記フレーム部材の後端近傍に前記フレーム部材の後壁の一部として一体的に形成されることを特徴とするイジェクタ組立体。
【請求項３】
導電性金属板の打ち抜き折り曲げにより、内側にカードを受容するコネクタハウジングを収容できる寸法とされ、受容される前記カードを排出するために押圧摺動される操作部材が摺動可能にして装着されるカード用コネクタ組立体に使用されるフレーム部材において、
該フレーム部材は、前記コネクタハウジングに収容されたコンタクトのタイン部分を包囲するよう構成され、
前記カードを排出後に前記操作部材を押圧摺動前の位置へ押し戻すばね構造を後壁の一部として一体的に具備することを特徴とするフレーム部材。
【発明の詳細な説明】
【０００１】
【発明の属する技術分野】
本発明は、受容したカードを操作部材の押圧摺動により排出できるカード排出手段を備えるカード用コネクタ組立体、及びそれに使用されるイジェクタ組立体及びフレーム部材に関する。
【０００２】
【従来の技術】
従来よりカード排出手段を具えるカード用コネクタ組立体が知られているが、その一例が特開平７−３３５３１８号公報に開示される。開示されるカード用コネクタ組立体は、フレーム部材に対して回動可能に取り付けられたアームと、アームに係合し、フレーム部材に摺動可能に配置される操作部材とを具えるイジェクタ組立体を含む。カード用コネクタ組立体に受容されたカードは、操作部材を押圧摺動してアームを回動させることにより外部へ排出可能とされる。イジェクタ組立体は更に、一端がフレームに取り付けられ逆端が操作部材に取り付けられるコイルばねを有する。コイルばねは操作部材を押圧摺動してカードを排出した後で、操作部材を押圧摺動前の位置へ復帰させるよう作用する。
【０００３】
【発明が解決すべき課題】
しかしながら上述の公報に開示されるカード用コネクタは構造が比較的複雑であるため組み立て作業が難しく手間となっていた。また上述のカード用コネクタ組立体では部品点数も比較的多いため経済的効果を上げるべく部品点数をより少なくすることが望まれていた。
【０００４】
従って本発明は、操作部材を押し戻すばね構造を具えた、比較的単純な構成で組立てが容易であるカード用コネクタ組立体、及びそれに使用されるイジェクタ組立体及びフレーム部材を提供することを目的とする。
【０００５】
【課題を解決するための手段】
本発明は、カードを受容するハウジングと、該ハウジングを包囲して配置される導電性フレーム部材と、該フレーム部材に対して摺動可能とされる操作部材及び該操作部材に係合するばね構造を含むカード排出手段とを有し、該カード排出手段は前記操作部材を押圧摺動することにより前記ハウジングに受容された前記カードを排出でき、前記カードを排出後に前記ばね構造が前記操作部材を押圧摺動前の位置へ押し戻すよう構成されるカード用コネクタ組立体において、前記フレーム部材は、前記ハウジングに収容されたコンタクトのタイン部分を包囲し、前記ばね構造は、前記フレーム部材の後端近傍に前記フレーム部材の後壁の一部として一体的に形成されることを特徴とする。
【０００６】
更に本発明は、導電性フレーム部材に対して摺動可能に配置される操作部材及び該操作部材に係合するばね構造を含むカード排出手段を有し、該カード排出手段は前記操作部材を押圧摺動することにより前記フレーム部材の内側に受容されるカードを排出でき、前記カードを排出後に前記ばね構造が前記操作部材を押圧摺動前の位置へ押し戻すよう構成されるカード用コネクタ組立体に使用されるイジェクタ組立体において、前記フレーム部材は、前記カード用コネクタ組立体のハウジングに収容されたコンタクトのタイン部分を包囲するよう構成され、前記ばね構造は、前記フレーム部材の後端近傍に前記フレーム部材の後壁の一部として一体的に形成されることを特徴とする。
【０００７】
加えて本発明は、導電性金属板の打ち抜き折り曲げにより、内側にカードを受容するコネクタハウジングを収容できる寸法とされ、受容される前記カードを排出するために押圧摺動される操作部材が摺動可能にして装着されるカード用コネクタ組立体に使用されるフレーム部材において、該フレーム部材は、前記コネクタハウジングに収容されたコンタクトのタイン部分を包囲するよう構成され、前記カードを排出後に前記操作部材を押圧摺動前の位置へ押し戻すばね構造を後壁の一部として一体的に具備することを特徴とする。
【０００８】
好ましくは前記ばね構造は前記操作部材の後端近傍に係合する係合部を含む。該係合部は金属板からなる湾曲した板面からなり、前記操作部材の後端面と当接するよう構成されるのが良い。
【０００９】
好ましくは前記ばね構造は前記フレーム部材の後壁の一部として形成された片持ち梁として構成される。前記ばね構造は前記後壁に沿って延び、更に変曲点を介して前記操作部材へと曲がって延長され、延長された部分の先端近傍に前記係合部を具えるのが良い。
【００１０】
また好ましくは前記イジェクタ組立体は前記ハウジングと独立して組立可能であり、組立後前記ハウジングに組み付け可能とされる。
【００１１】
【発明の実施の形態】
以下に図面を参照して本発明の好適実施形態となるカード用コネクタ組立体及びそれに使用されるイジェクタ組立体及びフレーム部材を詳細に説明する。
【００１２】
図１は本発明のカード用コネクタ組立体に使用されるイジェクタ組立体を示す図で、（ａ）は平面図、（ｂ）は正面図、（ｃ）は背面図及び（ｄ）は右側面図であり、特に（ａ）中にはハウジングの配置を２点鎖線で示す。図２はイジェクタ組立体の作用を示す平面図であり、（ａ）はカード受容時の状態又は受容されたカードが排出された後で摺動部材が押し戻されて復帰した状態を示す図で、（ｂ）はカードが排出された直後の配置を示す図である。
【００１３】
図１（ａ）によればイジェクタ組立体１０は、フレーム部材５０、フレーム部材５０に対して支持部５１に回動可能に支持されるアーム２０、及びアーム２０と係合する樹脂製の操作部材３０を有する。
【００１４】
フレーム部材５０はその内側にコネクタハウジング（ハウジング）１５を収容する。図示しないがコネクタハウジング１５はカードと電気的接続されるためのものであり、複数のコンタクトを収容する。図１（ａ）に示すようにコネクタハウジング１５は略Ｈ形状を成し後側に図示しないコンタクトのタインを整列配置可能な凹部１６を構成する。従って図１（ａ）乃至（ｄ）から理解されるようにフレーム部材５０はコンタクトのタイン部分も包囲して電磁シールドとして作用する。
【００１５】
アーム２０には支持部５１に対応する位置に図示しない略円形の開口を有する。フレーム部材５０の支持部５１はフレーム部材５０の板を打ち出し絞り加工をして上述の開口と係合するよう構成し、これによりアーム２０を回動可能に軸支している。図１（ａ）及び（ｂ）から理解されるようにアーム２０の本体２６はフレーム部材５０の内側に配置され、端部２１をスロット５３を通して外側に延出させている。またフレーム部材５０の支持部５１に近い位置には幅方向に延びる補強のためのビード５５が形成される。
【００１６】
図１（ａ）の如く操作部材３０は長さ方向に延びて形成された細長溝３１を有する。一方フレーム部材５０には２対の対向爪５２ａ、５２ｂが形成され、これらの対向爪５２ａ、５２ｂが細長溝３１と係合することにより前後方向に摺動可能となる。また操作部材３０の後端近傍には片持ち梁状の係合片３２が形成される。操作部材３０の取り付けの際には、溝３１の端３１ａをまず爪５２ｂに位置合わせして係合させ、次に爪５２ａと位置合わせして係合させ、最後にアーム２０の端部２１と係合片３２とを係合させ端部２１を受容部３５内に受容させる（図１（ａ）及び（ｄ）参照）。
【００１７】
以上の構成により操作部材３０を押圧摺動させることによりアーム２０を回動させて受容されたカードを排出するカード排出手段を含むイジェクタ組立体１０が完成する。
【００１８】
上述のようにイジェクタ組立体１０はコネクタハウジング１５とは独立して組立可能であり、組立後図示しない係合手段によりコネクタハウジング１５に係合され、これによりカード用コネクタ組立体が完成する。
【００１９】
カード排出の作用は操作部材３０及びアーム２０の図２（ａ）の状態から図２（ｂ）の状態への変化として理解される。即ち、カードが挿入された図２（ａ）の状態で摺動部材３０を押圧摺動させて（図２（ａ）中矢印Ｐ方向）アーム２０を回動させる。このときアーム２０の端部２１と逆側の端の近傍のカード押出面２２がカードを押し出しこれを排出させる。なおアーム２０の回動範囲はスロット５３の長さ方向の両端５３ａ、５３ｂを制止部とすることにより制限される。図２（ａ）、（ｂ）に示す状態はアーム２０の回動が端５３ａ、５３ｂにより夫々制止された状態である。
【００２０】
本発明によるイジェクタ組立体１０のフレーム部材５０は図１（ａ）乃至（ｃ）に示すように後壁６０の途中位置から操作部材３０側へと延びる片持ち梁状の弾性片（ばね構造）６５を有する。図１（ａ）によれば、弾性片６５はフレーム部材５０の角近傍に位置する湾曲部６５ａで曲げられて延長され、延長部分の先端の湾曲面を摺動部材３０との係合部６５ｂとする。係合部６５ｂは操作部材３０の後端面３３に当接する。弾性片６５はフレーム部材５０に比較的近い位置に置かれるため、全体の寸法が小型になるとともに外部からの干渉を受けにくくなり弾性片６５の変形が防止される。
【００２１】
上述したようにカードを排出するときは摺動部材３０を押圧して図２（ａ）中の矢印Ｐ方向に押圧して摺動させる。このとき弾性片６５は図２（ｂ）の如く後方へ向けて弾性的に撓む。従ってカードを排出した後で操作部材に加える押圧力を解除すると、弾性片６５のばね作用により操作部材は押圧摺動前の状態、即ち図２（ａ）の状態へと自動的に復帰する。復帰の方向を図２（ｂ）中に矢印Ｑで示す。従って操作部材３０はカードの排出操作時以外はフレーム部材５０の前寄りの位置にがたつくことなく維持される。
【００２２】
以上の如く、本発明の好適実施形態について詳細に説明したがこれはあくまでも例示的なものであり、本発明を制限するものではなく当業者により更に様々な変形変更が可能である。
【００２３】
【発明の効果】
本発明のカード用コネクタ及びそれに使用されるイジェクタ組立体及びフレーム部材は、カード排出のため押圧摺動される操作部材をカード排出後に押圧摺動前の位置へ押し戻すばね構造がフレーム部材の一部として一体的に形成されるので、比較的単純にして組立を容易にする構成が実現され、更にカードの排出操作をスムーズに行うことができる。
【図面の簡単な説明】
【図１】    本発明のカード用コネクタ組立体に使用されるイジェクタ組立体を示す図で（ａ）は平面図、（ｂ）は正面図、（ｃ）は背面図及び（ｄ）は右側面図。
【図２】    図１のイジェクタ組立体の作用を示す平面図で、（ａ）はカード受容時の状態又は受容されたカードが排出された後で摺動部材が押し戻され復帰した状態を示す図、及び（ｂ）はカードが排出された直後の配置を示す図。
【符号の説明】
１０      イジェクタ組立体
１５      コネクタハウジング（ハウジング）
３０      操作部材
５０      フレーム部材
６５      弾性片（ばね構造）
【図１】
0003746125.tif 000002
【図２】
0003746125.tif 000003